(57)【要約】      （修正有）【課題】撓み、曲げ及び引張り力に耐えるための十分な剛性を有する電子カードを提供する。【解決手段】電子カードは、カードシールド（１０７，１０８）間にプリント回路基板を有する。一方のシールドの縁部に設けられたタブ（１０９）が、他方のシールドの縁部に設けられた凹部に係合する。このカードの結合されたシールドが剛性を与え、曲げおよびねじり方向の力に耐える。Ｉ／Ｏコネクタ（１０１）が別個の接地コンタクトなしで接地される。タブは、中央傾斜突起を設けられた弧状部を有し、この傾斜突起は、凹部の近部における他方のシールドの棚状部に係合し、スナップ嵌めを形成する。フレームバーをシールド間に介挿することもできる。【選択図】図９
2007193809.tif 000002
【特許請求の範囲】
【請求項１】
縁部を有するカードシールド間に介挿されたプリント回路基板を備える電子カードであって、一方のシールドの縁部に設けられ、他方のシールドの縁部に設けられた凹部と係合するタブを備え、これらのタブのそれぞれは、前記他方のシールドに係合する傾斜した突起を有することを特徴とするカード。
【請求項２】
シールドのそれぞれは、そのフレームに設けられた棚状部を有し、凹部は、これらの棚状部に配置され、タブに設けられた突起がこれらの棚状部に係合する請求項１に記載のカード。
【請求項３】
凹部は、タブの弧状部材に係合する角度を設けられた端部を有する請求項１に記載のカード。
【請求項４】
タブのそれぞれは、弾性を有する請求項１に記載のカード。
【請求項５】
タブのそれぞれは、その全長にわたって弾性を有する請求項４に記載のカード。
【請求項６】
タブは、ばねとして作用する請求項５に記載のカード。
【請求項７】
タブは、その全長にわたってばねとして作用する請求項６に記載のカード。
【請求項８】
カードは所定の長さを有し、タブの累積した長さは、カードの長さの少なくとも１０％である請求項７に記載のカード。
【請求項９】
カードは所定の長さを有し、タブの累積した長さは、カードの長さの少なくとも５０％である請求項８に記載のカード。
【請求項１０】
仕様におけるテストに基づく必要な値の曲げ力に耐える請求項１に記載のカード。
【請求項１１】
端部コネクタを使用することなく、ねじり力に耐える請求項１に記載のカード。
【請求項１２】
少なくとも１のほぼ平坦なコーナ部を有する請求項１に記載のカード。
【請求項１３】
プリント回路基板が全体を金属材料で囲まれる請求項１に記載のカード。
【請求項１４】
少なくとも１のほぼ平坦なコーナ部を有する請求項１３に記載のカード。
【請求項１５】
少なくとも１のコーナ部を有し、このコーナ部は傾斜配置された金属壁である請求項１４に記載のカードコネクタ。
【請求項１６】
傾斜配置の金属壁は、シールドの後方から前記シールドに向けて突起を折曲げることにより、形成される請求項１５に記載のカードコネクタ。
【請求項１７】
頂部および底部のシールドは同じである請求項１に記載のカード。
【請求項１８】
１８．  コーナ部を有するカードシールド間に介挿されたプリント回路基板を備え、前記コーナ部の少なくとも１は平坦に形成されているカード。
【請求項１９】
プリント回路基板は、金属材料で全体的に囲まれる請求項１８に記載のカード。
【請求項２０】
シールドは、雌雄同体である請求項１に記載のカード。
【請求項２１】
傾斜突起を有する部材は、弧状である請求項１に記載のカード。
【請求項２２】
ねじり力とせん断力との双方に耐える請求項１に記載のカード。
【請求項２３】
端部コネクタを使用したときに、ねじり力とせん断力との双方に耐える請求項２２に記載のカード。
【請求項２４】
メモリカードに使用する金属シールドであって、このシールドはコーナ部を有し、これらのコーナ部の少なくとも１が平坦に形成される金属シールド。
【請求項２５】
シールドの係合により、可聴嵌合音が形成される請求項１に記載のカード。
【請求項２６】
凹部は対向した縁部を有し、これらの縁部は所定のポイントに向けて外方に傾斜される請求項１に記載のカード。
【請求項２７】
タブが凹部に係合するときに、タブは所定位置にカム作動される請求項２６に記載のカード。
【請求項２８】
トルクテストで約１．２Ｎｍより大きな力が作用したときに、平均回転角は、約１２°よりも小さい請求項１に記載のカード。
【請求項２９】
曲げテストで約２０Ｎより大きな力が作用したときに、平均撓みは約３．５mmよりも少ない請求項１に記載のカード。
【請求項３０】
フィンガネイルテストで１００Ｎより大きな力が作用したときに、変位は１．５mmよりも少ない請求項１に記載のカード。
【請求項３１】
Ｉ／Ｏコネクタを備え、このコネクタは別個の接地コンタクトなしで接地される請求項１に記載のカード。
【請求項３２】
Ｉ／Ｏコネクタは、所定の長さを有し、このコネクタはその長さにわたってシールドされる請求項１に記載のカード。
【請求項３３】
少なくとも１の凹部は、スロットと、タブが凹部に向けて移動するときにタブをスロット内に側方に移動するためのカム構造とを有する請求項１に記載のカード。
【請求項３４】
カム構造は、一対の分岐壁を備える請求項３３に記載のカード。
【請求項３５】
各分岐壁は、スロットの端部から離隔した位置でこのスロットと交差する請求項３４に記載のカード。
【請求項３６】
各凹部は、各タブのラッチにより係合するための突起を備える請求項１に記載のカード。
【請求項３７】
縁部を有するカードシールド間に介挿されたプリント回路基板を備える電子カードであって、一方のシールドの縁部に設けられ、他方のシールドの縁部に設けられた凹部と係合するタブを備え、これらのタブのそれぞれは、前記他方のシールドに係合する傾斜突起を有する部材を備え、フレームがシールド間に介挿されることを特徴とするカード。
【請求項３８】
プリント回路基板がカードに結合される請求項３７に記載のカード。
【請求項３９】
カードはフレームバーで支えられる請求項３７に記載のカード。
【発明の詳細な説明】
【技術分野】
【０００１】
本発明は電子カードに関し、特に、このようなカードの外部シェルに関する。
【背景技術】
【０００２】
電子カードは広く使用されており、特にパーソナルコンピュータに記憶容量及び／又は機能を追加するために使用されている。ＰＭＣＩＡ（Personal Computer Memory Card International Associaton）は、このようなカードの規格を定め、タイプI，タイプIIおよびタイプIIIのカテゴリーに分類している。
【０００３】
従来のカードは、中間フレームにラッチ結合及び／又は接着剤で固定されたカバーシールドと、一体的にレーザ溶接あるいは超音波溶接されたカバーとを有する。更に最近のカードは、フレーム無しで互いに直接固定された金属シールドを採用する。
【発明の開示】
【発明が解決しようとする課題】
【０００４】
しかし、このような構造では、通常の使用中に作用する撓み、曲げおよび引張り力に耐えるための十分な剛性を有することが困難な場合がある。したがって、上述の問題を生じない電子カードが必要とされている。
【課題を解決するための手段】
【０００５】
本発明の電子カードは、縁部を有するカードシールド間に介挿されたプリント回路基板を備える。一方のシールドの縁部に設けられたタブが、他方のシールドの縁部に設けられた凹部に係合する。これにより、適正な剛性が与えられる。更に、別個の接地コンタクト無しに接地され、その長さ方向に沿ってシールドされたＩ／Ｏコネクタが含まれる。
【０００６】
本発明の他の実施形態の電子カードは、縁部を有するカードシールド間に介挿されたプリント回路基板を備える。一方のシールドの縁部に設けられたタブは、他方のシールドの縁部に設けられた凹部に係合する。これにより、好適な剛性が与えられる。シールド間にフレームバーが介挿される。更に、別個の接地コンタクト無しに接地され、その長さ方向にわたってシールドされたＩ／Ｏコネクタが含まれる。
【発明を実施するための最良の形態】
【０００７】
図１から図３を参照すると、プリント回路基板組立体は、一端側の金属化されたレセプタクルＩ／Ｏコネクタ１と、他端側の６８ポジションＭＴＢ（ＭＩＣＲＯ ＴＲＩＢＥＡＭ（登録商標））レセプタクルコネクタ２とを備える。このコネクタ２は、プラスチックハウジングの側部に一体化された２つのコーディングキー３，４と共に、このハウジングの頂部および底部で直立した突条５を有する。コネクタ２の２つのコーディングキーの端部のそれぞれに、頂面および底面に２つの凹部６が設けられている。Ｉ／Ｏレセプタクルについては詳細後述する。
【０００８】
頂部および底部カードシールド７，８は、例えばステンレス鋼である金属板の同じ打抜き材である。シールドのほぼ全長にわたり、一側には、好ましくは周期的に離隔した直立タブ９が配置され、他側には、同じ配置および周期の好適な凹部１０が配置されている。更に、シールドの前側１３には、２つの固定タブ１１が配置され、各シールドの後側には、延長部１２が配置され、これらの延長部は、Ｉ／Ｏコネクタ１のコネクタプラグ開口部の金属シールドの前部と同一面となるように、垂直に曲げられている。このような垂直の曲げにより、美観が改善され、更に、Ｉ／Ｏコネクタとシールドとの間が開くのを防止し、「スマイル」効果として知られている状態を防止し、一方、プリント回路基板組立体を軸方向に正確に位置決めすることを可能とする。
【０００９】
２つのカードシールド半片部７，８がプリント回路基板組立体の両側に位置決めされ、互いの方向に向けて移動されると、タブ９および固定タブ１１が対向配置された凹部１０，６と協働し、図２に示す完成したカード組立体１４が得られる。
【００１０】
通常、１のタブ９だけが１の適正に配置された凹部１０と協働する場合には、使用中に受ける機械的な曲げ／引張りに係わらずにカード組立体を損傷させることなく保持するための力は、小さい。この組立体のほぼ全長に沿う両側に均等に離隔させた比較的多数のタブおよび凹部を採用することにより、この組立体に十分な剛性が得られる。一般に、打抜き誤差により、タブおよび凹部間の真位置の不整合−整合状態を生じる可能性があり、このような状態が発生しているのが一般的である。この結果、２つのカードシールドの相互間およびＭＴＢコネクタ２のプラスチックハウジングとの間に、摩擦による嵌合が形成される。これらの個々の摩擦力は、協働するタブ／凹部の相対寸法／形状を好適に選択して機械的な構造を形成することにより、それぞれの摩擦力を増大することができる。例えば、図４の（ａ）のタブ９の断面Ａについて考察すると、図４の（ｄ）に示すようにタブｂが凹部よりも長い場合、タブがねじられている場合（図４の（ｅ））あるいはタブが湾曲している場合（図４の（ｃ））は、タブと凹部との間に摩擦係合が形成される。更に、タブを凹部にラッチ係合するための複数の手段が図４の（ｂ），図４の（ｇ），図４の（ｃ）および図４の（ｈ）に記載されており、ここでは、ラッチ９ａは、タブの中央あるいはその一端に配置され、完全に嵌合したときに、せん断部により、タブを凹部内にラッチ係合させる。ラッチ機構の目的は、機械的な力に耐え、組立体を損傷させることなく保持することである。他の目的は、カード組立体のほぼ平坦な金属側部を形成し、ＰＣＭＣＩＡカードを装着する必要のある装置スロット（図示しない）の接地コンタクトと好適に接触可能とすることである。
【００１１】
Ｉ／Ｏコネクタが図５の（ａ）および図５の（ｂ）に記載してあり、ここでは、頂部および底部のプラスチック壁２０の端部からプラスチック材料を除去してあり、内方に突出するラッチ２３，２４と端部２５，２６とを有する脚部２１，２２を設けた２つの金属ばねを後方（プリント回路基板側）から挿入することができる。最終組立状態では、ラッチ２３，２４は、組立てられたＩ／Ｏプラグコネクタの金属シールドプラグコネクタ１８に接触し、端部２５，２６は、金属の上側および下側シールド７，８に押圧され、システムの全体の接地接続を完成する。これらの２つの金属ばね部材は、最初の構造と同様に、リベットにより、コネクタの２つの端部でプリント回路基板の接地路に接続される。
【００１２】
図６の（ａ）および図６の（ｂ）は他の実施形態を示し、この実施形態では、１の金属部材がレセプタクルＩ／Ｏコネクタの頂部および底部プラスチック壁上に嵌合される。この配置の利点は、１の部材が必要とされることだけでなく、金属シールドがコネクタの全長にわたって延在し、コネクタ端部に配置された２つの接地位置間にポテンシャル落差のないことを確保することである。この構造では、内方に突出するラッチ２３，２４が中央のプラスチック製インサート１３に対向し、最終的には相手方プラグＩ／Ｏシールド１８と結合する。Ｉ／Ｏコネクタの他側の外側ラッチ２７は、上側および下側シールド７，８に接触し、縁部２５，２６もカードシールドの縁部に配置される。
【００１３】
図７および図８を参照すると、最初の構造の接地コンタクト７用の基板と組合わせるＩ／Ｏレセプタクルシールドの他の実施形態が記載されている。ここでは、上部およびシールド部を２つの分離した半片部として示してあり、それぞれ互いに対向するラッチ保持開口１２の対称セグメントを有する。この構造は、ラッチ保持開口を有する金属板を提供するだけでなく、レセプタクルＩ／Ｏの後端部で端子の表面実装用脚部のために必要な領域に加えて、カードの残部の幅を覆う金属壁を提供する。この特徴は、レセプタクルＩ／Ｏのプリント回路基板側から後部を示す図４に、より明瞭に示してある。この後端部２８（図８）は、下側シールド部から延びる同様な壁部の上側にロックされたときに、カード組立体のこの側におけるプリント回路基板と電子回路Ｉ／Ｏコネクタとの間のＥＭＩ／ＥＳＤシールド手段を提供する。
【００１４】
図９から図１６を参照すると、プリント回路基板組立体は、金属化されたレセプタクルＩ／Ｏコネクタ１０１を一端に有し、６８ポジションＭＴＢレセプタクルコネクタ１０２を他端に有する。このＭＴＢレセプタクルコネクタ１０２は、プラスチックハウジングの側部に一体化された２つのコーディングキー１０３，１０４と共に、このハウジングの頂部および底部に直立した突条１０５を有する。ＭＴＢコネクタの２つのコーディングキーの端部のそれぞれで、頂面および底面には、Ｉ／Ｏコネクタ端部と２つの凹部１０６が配置されている。このＩ／Ｏレセプタクルの詳細については後述する。
【００１５】
頂部および底部カードシールド１０７，１０８は、例えばステンレス鋼の金属板である。シールドのかなりの長さにわたり、一側には、周期的に配置された直立タブ１０９が配置され、他側には、同じ位置でかつ周期的に好適な凹部１１０が配置されている。更に、シールドの前側１１３には、固定タブ１１１が配置され、シールドの後側には延長部１１２が配置され、この延長部は、垂直に曲げられ、カード組立体が完成したときに、Ｉ／Ｏコネクタのコネクタプラグ開口の金属シールドの前部と同一面内に配置される。このような垂直の曲げにより、プリント回路基板組立体を長手方向に適正に位置決め可能としつつカードの美観を改善することができる。
【００１６】
２つのカードシールドの半片部１０７，１０８が位置決めされ、互いの方向に移動され、プリント回路基板組立体を囲んだときに、タブ１０９は側部に沿う凹部１１０と協働し、固定タブ１１１は、スロット１００を通して、トップシールドの反対側の対向配置された凹部１４４と協働し、完成したカード組立体が得られる。
【００１７】
組立体の両側における長さ方向に沿う周期的なタブおよび凹部は、組立体の所要の剛性を確保するために十分なものである。上述のように、通常は、打抜き誤差により、タブと凹部との間に真位置不整合が存在する。したがって、この配置は、側部タブ１０９が側部凹部１１０内に入り、２つの前部固定タブ１１１が２つの凹部１０６を通して、コネクタ１０２のプラスチックハウジングの対向するシールドの前部凹部１４４内に入るため、２つのカードシールド相互に少なくとも初期摩擦嵌合が生じる。これらの個々の摩擦力は、互いに協働して機械構造を形成するタブ／凹部の相対的な寸法／形状を工程に選定することにより、強化することができる。
【００１８】
特に図９，図１０および図１４を参照すると、最初の設計構造の接地コンタクト１０７に代えて組合わせられるＩ／Ｏレセプタクルシールドの他の実施形態が示されている。ここでは、上側およびシールド部は、２つの分離した半片部として示してあり、互いに対向するラッチ保持開口１１２の対称セグメントをそれぞれが有している。この設計構造では、金属板にラッチ保持開口を提供するだけでなく、レセプタクルＩ／Ｏの後端部１２８に、端子の表面実装用脚部に必要な領域に加えて、カードの残部の幅に沿う金属壁を提供する。
【００１９】
図１１および図１２は、固定タブの変形形態を示し、ここでは、タブ１０９は、直立した弧状部１３０を備え、この弧状部は対向した剛性側部１３１と面取り部１３２とを有し、この面取り部からばねラッチ１３３が下方かつ外方に向けて延びる。特に図１３を参照すると、凹部１１０は棚状部１３４に形成されている。この凹部１１０の端部は、ポイント１３８に向けて内方に傾斜した縁部１３５，１３６を有する。特に図１５から図１７を参照すると、タブ１３３は凹部１１０内で棚状部１３４の下側に係合する。
【００２０】
この実施形態の２つのカードシールドは、０．２mmのステンレス鋼から形成し、多数の機械的なスナップ嵌めファスナを有するのが好ましい。２つのシールドを互いに組立てた後、これらのファスナは、曲げおよびねじりに対する驚くべきほどかつ予期しなかったほどカードを剛性にする。これらのファスナは、更に、多数の接点により２つのカードシールド間を接地するために良好な電気接続作用をなし、更に、中間部に負荷支持面が用いられていないため、カードは電磁干渉（ＥＭＩ）に対して最適状態にシールドされる。これらのファスナは、凹部１１０に係合する多数のタブ１０９を有する。図（図１５および図１６における部分）からは、タブ１０９とラッチ１３３とのそれぞれが垂直面から、例えば（図１５）の角度だけ、内方に傾斜し、凹部１１０に良好に係合することが明らかである。各タブ１０９は、ラッチ１３３と一体のばね部１３２を備え、このラッチは凹部１１０の下側領域でラッチ１３４でフック係合される。このラッチ１３３は、組立てた後、２つのカードシールドを開かないように保持する。噛合わせる際、タブ１０９はラッチ１３３の先端から剛性の両側部まで、弾性曲げおよびねじり力を受ける。
【００２１】
各タブ１０９は、更に２つの剛性側部１３１を備え、これらの側部はある程度の遊びを持って凹部１１０の両端部に係合する。剛性側部１３１および凹部端部の全数（total number）は２つのカードシールド間の機械的接続部にせん断強さを与え、これにより、曲げおよびねじりに対する高い剛性を形成する。なお、２つのカードシールドは、同じであり、雌雄両性であり、すなわち各シールドは雄ファスナ部材と雌ファスナ部材との双方を包含している。
【００２２】
特に図１２から図１４に示すように、嵌合する際、面取り部１３２が最初に先縁部１３５，１３６に接触し、したがって、これらの縁部はポイント１３８を越えて端部位置までタブ１０９を案内し、ラッチ１３３を縁部１３４の下側に確実にフック係合させる。ポイント１３８は、ラッチとして作用し、凹部内の適正位置にタブを保持し、適正なラッチ係合を示す「カチッ」という可聴音を発生させる。面取り部１３２と棚状部１３５，１３６との相互の寸法は、製造（打抜き）誤差を吸収するように設計されている。
【００２３】
ラッチ機構は、ラッチと棚状部１３４との間に垂直方向の初期遊びが設けられるように設計され、この遊びは、棚状部の端部１３７の第２のばね作用により、除去される。これらの端部は９０°よりも少ない曲げ角度を有するため、これらの端部は、組立てるときに２つのカードシールドに最初に接触し、その後、ラッチ１３３が噛合う前に、僅かに押圧される。この後は、ラッチ機構は、それ以上の遊びを有しない。
【００２４】
ばね状のタブの全体の累積長さ（cumulative lengths）は、シールドの長さの少なくとも１０％であるのが好ましく、シールドの長さの５０％であるのが更に好ましい。
【００２５】
特に図９を参照すると、コネクタ１０２の各端部にスロット１０６が設けられており、タブ１１１がコネクタを通って、対向するカードシールドの凹部１４４に係合できることが理解される。したがって、完全に金属対金属の接触が形成され、したがって、コネクタ１０２のプラスチックに係合する必要はない。特に、コネクタ１０１，１０２を用いることなく２つのカードシールド１０７，１０８だけが係合する場合は、これによるカードケースは剛性である。
【００２６】
トルクテストと、曲げテストと、フィンガネイル（finger nail）シミュレーションテストとを、上述の第２のＰＣＭＣＩＡカード型式（version）について行った。このテストを、それぞれ添付の表I，II，IIIに示してある。
【００２７】
図１８から図２１を参照すると、Ｉ／Ｏレセプタクルを採用してない実施形態が示されている。この点を除くと、この実施形態は図９から図１７に記載の実施形態とほぼ同様である。すなわち、同じ凹部２５４に係合する同じタブ２４５を有し、更に、ＭＴＢコネクタ（図示しない）用のスペース２４０を有する。特に図２０および図２１を参照すると、後部の結合タブおよび凹部が側部に配置され、中央に結合パネル２４１，２４２が配置されていることが認められる。図２２から図２４を参照すると、他の実施形態が示されており、この実施形態では、単一の１５ポジション（position）Ｉ／Ｏコネクタ３４３を使用することを除いて、上述の実施形態と同様である。タブ３０９と凹部３１０とは上述と同じである。この実施形態では、接続用のタブおよび凹部３４５，３５４はそれぞれカードの前端のＩ／Ｏコネクタの近部で外方に配置され、一方、タブ３１１および凹部３４４は、ＭＴＶコネクタ側で互いに協働する。
【００２８】
図２５から図２７を参照すると、２つのＩ／Ｏコネクタ４４６，４４７を使用する他の実施形態が示されている。その他の点では、上述の実施形態とほぼ同じである。なお、このカードの後端部では、タブおよび凹部４４８がＩ／Ｏコネクタの間でカードの後側に配置されている。
【００２９】
図２８および図２９を参照すると、上述の実施形態の全てが金属で形成されたコーナ部は、全体を符号５４９で示す折曲げられた金属壁を備える。図３０および図３１を参照すると、この湾曲したコーナ部は、中央の突起４５０と側部突起４５１，４５２とを有し、これらの突起を各部毎に上方および内方に折曲げ、所要のラウンド効果（rounded effect）を形成することができる。当該分野の技術者であれば、プラスチックあるいは外部開口部（open air）を用いることのない、ＥＭＩ  ＥＳＴシールドあるいは同様な完全金属製シールドに関して、この完全金属製コーナ部の構造上の利点は明らかである。この特徴は、更に、鋭い縁部を有しないために、美観上の利点を有する。
【００３０】
以下の変更も、上述のカードに組入れることができる。すなわち、
ａ）金属製カードシールドに加え、フレームバーを組込み、内部の電子回路部材を支えること、および、
ｂ）金属製カードシールドをプリント回路基板に機械的に結合しかつ固定する手段を提供すること、である。
【００３１】
この追加的な実施形態では、２つの端部コネクタ（Ｉ／ＯおよびＭＴＢコネクタ）を半田リフロー工程で固定する前に、プリント回路基板に好適に整列させる手段を提供する。この配置は、コネクタのペグ対基板孔の間隙を密にすることを必要とすることなく、達成することが好ましい。ＰＣＭＣＩＡケースの双方あるいは一方（例えばＭＴＢ側）に対してこの必要性を除去することで十分である。
【００３２】
これらの変更を組込むため、金属シールドの縁部における上述の基本的なラッチスナップ嵌め機構を変更することなく、設計変更をおこなった。更に、基本的なＩ／Ｏコネクタ構造にも変更はない。
【００３３】
１）フレームバー
この実施形態は、図３３に示すように、金属カードシールドの一側の縁部に取付けられたプラスチックバーを備える。カードシールドの長手方向に沿うフレームバーの取付けが重要事項（key subject）であるため、次の説明および図表はこれらの組合わせに関係する。同じフレームバーが頂部および底部シールドに用いられる。図３４は、複数の直立したローブ６０２と長手方向に離隔しかつその中央部に向く２つの直立したペグ６０３とを有する、１のこのようなフレームバー６０１の２つの異なる状態を示し（第１の状態に対して第２の状態の３６０°回転に加えて）、一方、複数のテーパ状の凹設領域６０４は、その全長にわたって分散配置されている。各ローブは、１の垂直面６０５とテーパ状面６０７とを有し、全てのローブのこの垂直面は、フレームバー６０１の全長に沿って延びる符号６０５で示すように１の一体的な垂直面を形成する。それぞれ面取りされた棚状部６０６を有する２つのペグ６０３，６０３′が垂直面６０５から離隔する方向に突出する。この突出は、半円状の周部６０８，６０８′に沿い、これらの双方の半円状周部はプリント回路基板縁部に近接するスペース内の垂直面６０５から突出する。このプリント回路基板方向への突出は、寸法が僅かに異なるためにこれらの２つのペグ６０３，６０３で僅かに相違しており、更に、この突出は金属製カードシールド縁部６１０に対向する。更に、図３３から明らかなように、テーパ面６０７の場合も同様であり、このときの面６０７は、金属カード６１３から延びる直立した弧状部６１１に対向し、複数の保持ラッチ６１２がシールド縁部６１０の全長に沿って分配されている。
【００３４】
１の金属カード６１３の１の縁部上におけるこのフレームバー６０１の組立体を理解するため、ＭＴＢコネクタ６１４の相対的（プロセス）位置決めは、段部６２０とタブ６１９とを使用することにより行われ、パネル６１８のコンセプトを使用することが強調される。対応する斜視図が図４７および図４８に示してある。これらの図では、コネクタの後端部６０４は、コーディングキーのすぐ後ろに形成されている。そして、Ｉ／Ｏコネクタ６１５を図４４に示す孔６２３内に配置することができ、位置決め手段としてこのフレーム構造を用いることができる。製造者が全ての他の電子回路装置の構成部材をプリント回路基板上に配置すると、単一のリフロー操作を用いて、例えばＰＣＭＣＩＡカードである一体的な電子回路組立体が形成される。この組立体は、明らかに２つの端部コネクタを備える。最後に、各電子装置組立体は、結合部６２１の近部を破断することにより、フレームから分離することができる。なお、このような設計構造は、更に２つのＩ／Ｏコネクタを収容しあるいはＩ／Ｏコネクタの全くない手段を包含する（forsee）ものである。
【００３５】
ユーザは、このような組立体を、上述のように予め準備されたフレーム２０１と金属カード６１３との組合わせたものの上に配置することができる。図４９に示すように（Ｉ／Ｏコネクタ無しで）、ペグ６０３，６０３′は、上述のようにこの組立体を固定することができる。Ｉ／Ｏコネクタ側からＭＴＢコネクタ側を見て、更に、プリント回路基板とコネクタのテール部とが透明であると仮定すると、図３８に示す状態となる。異なる斜視図が図３９から得られる。
【００３６】
図４０は、カード組立体を逆に用いることができる、他の観点からの図を示す。コーディングキーにより、このようなカードは、周辺装置内に１の方向からのみ挿入することができる。逆に用いること（誤用）により、大きな長手方向の力がＭＴＢコネクタにより、半田脚部を介してプリント回路基板６１６に伝達される可能性がある。ユーザがＩ／Ｏコネクタ側から挿入するために押圧し続けると、プリント回路基板の半田結合部が機械的に破損し、カードが損傷する可能性がある。図４０で明らかなように、このデザインのＭＴＢコネクタの後端部６２４は、フレーム６０１の前部に当接する。この場合、フレームが固定されているため、この力が半田結合部に伝達される前に、プリント回路基板の縁部で容易に保持される。ＰＣＭＣＩＡカードに対する現在の仕様（specification）では６０ニュートンである。
【００３７】
この設計構造の他の利点は、図４１に示すように、トルクおよびねじりに耐えるその能力である。機械的な負荷が作用するこの状態では、上側および下側の金属カードがＰＣＭＣＩＡ組立体を形成し、互いに反対方向に移動する傾向を有することを理解することが必要である。ねじりが、Ｉ／Ｏコネクタ側端部から作用すると、ＭＴＢコネクタ側で、シールド間の相対移動が確保される。したがって、ＭＴＢコネクタ端部に対する２つのカードシールド間の結合部が比較的大きな（せん断）力を受け、この力は結合部を簡単に破壊する可能性がある。フレームバー６０１の１のローブの全幅にわたる断面としてこの図に示すペグローブ６０２が対向するシールド側から入り、シールド縁部６１０内の好適な凹部内に配置されるため、２つのシールド間の相対的な長手方向移動は、不能とされる。繰返すと、この移動不能とする機構は、ＰＣＭＣＩＡカードの両側（長手方向に沿って）複数の位置に分散配置される。他の多くの設計構造では、この負荷の態様では故障することが判明した。したがって、この設計構造における大きな利点である。したがって、フレームバーを一体化することで、ケース内に内包される電子回路部材に対する追加の安全装置（プリント回路基板整合／位置決めおよび固定）に加え、この組立体の頑丈さを更に増大する。
【００３８】
カードコネクタは、最適のせん断強さ、曲げおよびねじりに対する剛性を備えていることが理解される。
【００３９】
本発明について種々の図の好ましい実施形態との関係で説明してきたが、本発明から逸脱することなく、本発明と同じ機能をなすために、他の同様な実施形態を使用し、上述の実施形態に変更を加え、追加することが可能なことは明らかである。したがって、本発明は、いずれかの単一の実施形態に制限されるべきものではなく、添付の請求の範囲に記載の幅および範囲にしたがって解釈されるべきものである。
【表１】
2007193809.tif 000003
【表２】
2007193809.tif 000004
【表３】
2007193809.tif 000005
【図面の簡単な説明】
【００４０】
【図１】本発明の電子カードの展開斜視図。
【図２】図１に示すカードの斜視図。
【図３】図１の円領域IIIの拡大図。
【図４】本発明の範囲内において、図１に示すカードのタブと凹部とが係合可能な種々の態様の説明図。
【図５】図１に示すカードに使用されるＩ／Ｏおよびこれに設けらるユニバーサル接地部材と、ユニバーサル接地部材が係合された状態のＩ／Ｏコネクタの展開斜視図。
【図６】他のＩ／Ｏコネクタの展開図および接地部材が係合した他のＩ／Ｏコネクタの図。
【図７】他のシールド付きＩ／Ｏレセプタクルの展開した斜視図。
【図８】図７のＩ／Ｏレセプタクルと共に使用される他のシールド部材の斜視図、
【図９】本発明のカードの他の好ましい実施形態の展開斜視図。
【図１０】図９のカードの底部の斜視図。
【図１１】図９に示すカードに使用されるカードシールドの頂部の斜視図。
【図１２】図１１の円領域１２の拡大図。
【図１３】図１１の円領域１３の拡大図。
【図１４】図９に示すカードコネクタに使用するＩ／Ｏコネクタの詳細図。
【図１５】係合したラッチを通る断面図。
【図１６】図１５の１６−１６線を通る断面図。
【図１７】図１５の１７−１７線を通る断面図。
【図１８】本発明のカードの他の好ましい実施形態に使用するシールドの平面図。
【図１９】図１８に示すシールドの側部立面図。
【図２０】図１８に示すシールドの端面図。
【図２１】図１８に示すシールドを使用するカード全体の端面図。
【図２２】本発明のカードの他の好ましい実施形態に使用するシールドの平面図。
【図２３】図２２に示すシールドの側部立面図。
【図２４】図２２に示すシールドの端面図。
【図２５】本発明のカードの他の好ましい実施形態に使用されるシールドの平面図。
【図２６】図２２に示すシールドの側部立面図。
【図２７】図２２に示すシールドの端面図。
【図２８】図１８に示すシールドの一部の斜視図。
【図２９】図２８に示す円領域２９の拡大図。
【図３０】図１８に示すシールドを形成可能なブランク。
【図３１】図３０の円領域３１の拡大図。
【図３２】（ａ）および（ｂ）で示す、タブおよび凹部のそれぞれの他の好ましい実施形態の図。
【図３３】本発明のカードに使用するフレームバーの一部の詳細な斜視図。
【図３４】図１に示すフレームバーの全体の斜視図。
【図３５】図３５−図３８はカードの各部の側面図および平面図を示し、図３５は、面図。
【図３６】図３５、図３７および図３８と共にカードの各部を示す側面図および平面図。
【図３７】図３５、図３６および図３８と共にカードの各部の示す側面図および平面図。
【図３８】図３５−図３７と共にカードの各部を示す図。
【図３９】図３９−図４２はシールド内のフレームの組立体を示す種々の斜視図および概略図を示し、図３８はシールド内のフレームの組立体を示す種々の概略図。
【図４０】図３９、図４１および図４２と共にシールド内のフレームの組立体を示す概略図。
【図４１】図３９、図４０および図４２と共にシールド内のフレームの組立体を示す概略図。
【図４２】図３９−図４１と共にシールド内のフレームの組立体を示す概略図。
【図４３】図４３−図４６はカードの種々の部分を示す種々の平面図および縁部の図を示し、図４３はパネルを示す図。
【図４４】図４３、図４５および図４６と共にカードの種々の部分を示す平面図。
【図４５】図４３、図４４および図４６と共にカードの種々の部分を示す平面図および縁部の図。
【図４６】図４３−図４５と共にカードの種々の部分を示す種々の平面図および縁部の図。
【図４７】図４７−図５１は、カードの種々の部分の斜視図を示し、図４７は底部からの図。
【図４８】上部からの斜視図。
【図４９】組立体を固定するペグおよびラッチの配置を示す斜視図。
【図５０】反対側からの斜視図。
【図５１】種々の方向から見た斜視図。
【図５２】図５２は、コーディングキーの背部のフレームサポートの側面図および平面図。
【図５３】図５３は、カードのトルクテストを示す概略図。
【符号の説明】
【００４１】
１，２…コネクタ、７，８…カードシールド、９，１１…タブ、１０…凹部。
【図１】
2007193809.tif 000006
【図２】
2007193809.tif 000007
【図３】
2007193809.tif 000008
【図４】
2007193809.tif 000009
【図５】
2007193809.tif 000010
【図６】
2007193809.tif 000011
【図７】
2007193809.tif 000012
【図８】
2007193809.tif 000013
【図９】
2007193809.tif 000014
【図１０】
2007193809.tif 000015
【図１１】
2007193809.tif 000016
【図１２】
2007193809.tif 000017
【図１３】
2007193809.tif 000018
【図１４】
2007193809.tif 000019
【図１５】
2007193809.tif 000020
【図１６】
2007193809.tif 000021
【図１７】
2007193809.tif 000022
【図１８】
2007193809.tif 000023
【図１９】
2007193809.tif 000024
【図２０】
2007193809.tif 000025
【図２１】
2007193809.tif 000026
【図２２】
2007193809.tif 000027
【図２３】
2007193809.tif 000028
【図２４】
2007193809.tif 000029
【図２５】
2007193809.tif 000030
【図２６】
2007193809.tif 000031
【図２７】
2007193809.tif 000032
【図２８】
2007193809.tif 000033
【図２９】
2007193809.tif 000034
【図３０】
2007193809.tif 000035
【図３１】
2007193809.tif 000036
【図３２】
2007193809.tif 000037
【図３３】
2007193809.tif 000038
【図３４】
2007193809.tif 000039
【図３５】
2007193809.tif 000040
【図３６】
2007193809.tif 000041
【図３７】
2007193809.tif 000042
【図３８】
2007193809.tif 000043
【図３９】
2007193809.tif 000044
【図４０】
2007193809.tif 000045
【図４１】
2007193809.tif 000046
【図４２】
2007193809.tif 000047
【図４３】
2007193809.tif 000048
【図４４】
2007193809.tif 000049
【図４５】
2007193809.tif 000050
【図４６】
2007193809.tif 000051
【図４７】
2007193809.tif 000052
【図４８】
2007193809.tif 000053
【図４９】
2007193809.tif 000054
【図５０】
2007193809.tif 000055
【図５１】
2007193809.tif 000056
【図５２】
2007193809.tif 000057
【図５３】
2007193809.tif 000058
【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
第1，第２の嵌合可能で雌雄両性のシールドアセンブリを備える電子カード用シェルであって、これらのシールドアセンブリのそれぞれが、
電子カードの内側および外側周部を規定する縁部を備え、この縁部は電子カードの外周部に対応する内部を有し、更に、
他方のシールドの対応するラッチ構造に係合するラッチ構造と、
前記シールドの前記縁部の内部に沿って延びるフレームバーとを備え、このフレームバーは、前記第２の噛合い可能なシールドに対して前記フレームバーを位置決めするための第１の構造と、前記他方のシールドに対して前記第１の噛合い可能なシールドを位置決めする第２の構造とを有することを特徴とするシェル。
【請求項２】
前記シールドの内部は、更に、凹部を有し、前記第１の構造は、ペグと、前記凹部の下側を延びるフレームバーの一部とを有し、前記第２の構造は、直立したローブを有する、請求項１に記載のシェル。
【手続補正２】
【補正対象書類名】明細書
【補正対象項目名】００２９
【補正方法】変更
【補正の内容】
【００２９】
図２８および図２９を参照すると、上述の実施形態の全てが金属で形成されたコーナ部は、全体を符号５４９で示す折曲げられた金属壁を備える。図３０および図３１を参照すると、この湾曲したコーナ部は、中央の突起４５０と側部突起４５１，４５２とを有し、これらの突起を各部毎に上方および内方に折曲げ、所要のラウンド効果（rounded effect）を形成することができる。当該分野の技術者であれば、プラスチックあるいは外部開口部（open air）を用いることのない、ＥＭＩ／ＥＳＤシールドあるいは同様な完全金属製シールドに関して、この完全金属製コーナ部の構造上の利点は明らかである。この特徴は、更に、鋭い縁部を有しないために、美観上の利点を有する。
【外国語明細書】
2007193809000001.pdf